(57)【要約】【課題】ＡＣＦを所定長さに個片化して貼付ローラで連続しながら貼り付けるとともにＡＣＦの供給経路を安定化させて精度の良い貼り付けと制御を容易にする。【解決手段】ＡＣＦ９を供給するカートリッジ１１と、ＡＣＦ９の異方性導電膜層７４のみを所定間隔をおいてハーフカットし、異方性導電膜層７４の不要部分を取り除くハーフカットユニット２７と、基板１０にＡＣＦ９を圧着して貼り付ける貼付ローラ２３と、圧着後のＡＣＦ９から剥離されたセパレータ７５を連続的に回収するセパレータ回収ユニット７８とからなる昇降自在な圧着ユニット４と、基板１０を加熱するとともに貼付ローラ２３と相対的に水平移動可能な加熱テーブル４２とから構成し、ＡＣＦ９を貼り付けた後、貼付ローラ２３を圧着ユニット４と一体に上昇させてセパレータ７５と貼付ローラ２３が接した状態で貼付ローラ２３を基板１０から離脱するようにした異方性導電膜の貼付装置。【選択図】図１
2010045070.tif 000002
【特許請求の範囲】
【請求項１】
少なくともセパレータと異方性導電膜層の２層からなる異方性導電膜を貼付ローラで押圧しながら基板上に圧着して貼り付ける異方性導電膜の貼付装置において、
前記異方性導電膜を供給する異方性導電膜供給手段と、供給される異方性導電膜のセパレータ部分を残して異方性導電膜層のみを所定間隔をおいてハーフカットし、前記所定間隔をおいてハーフカットされた異方性導電膜層の不要部分を剥離させて取り除くハーフカットユニットと、前記基板に異方性導電膜を圧着して貼り付ける貼付ローラと、前記圧着後の異方性導電膜から剥離されたセパレータを連続的に回収するセパレータ回収ユニットとからなる昇降自在な圧着ユニットと、
前記基板を載置し、該基板を加熱するとともに前記圧着ユニットの下降により、貼付ローラで異方性導電膜を基板上に押圧しながら該貼付ローラと相対的に水平移動する加熱テーブルとから構成し、
前記圧着ユニットの下降により貼付ローラで異方性導電膜層を基板に貼り付けた後、前記貼付ローラを圧着ユニットと一体に上昇させることによりセパレータと貼付ローラが接した状態で該貼付ローラを基板から離間するようにしたことを特徴とする異方性導電膜の貼付装置。
【請求項２】
前記異方性導電膜供給手段を供給リールを回動及び着脱可能に装着するリール装着部と、前記リール装着部から延設された回転軸の一端に設けられた回転枠と、異方性導電膜を掛け渡すことにより異方性導電膜の供給経路を形成するように配置された複数のガイドローラと、前記供給経路の終端部分で前記異方性導電膜の先端部分を固定するテープチャックとからなるカートリッジで構成するとともに、
前記圧着ユニットに前記カートリッジの回転枠と着脱可能なチャックを設けて、該カートリッジを交換可能にしたことを特徴とする請求項１に記載の異方性導電膜の貼付装置。
【請求項３】
前記異方性導電膜の貼付装置に少なくとも２個のカートリッジを着脱可能に保持するカートリッジ保持部と、前記カートリッジ保持部を前記圧着ユニットと対向させるように回動させる回動機構と、前記カートリッジ保持部を圧着ユニットに対して進退動させる進退機構とから構成されるカートリッジ交換装置を設けたことを特徴とする請求項２に記載の異方性導電膜の貼付装置。
【請求項４】
少なくともセパレータと異方性導電膜層の２層からなる異方性導電膜を貼付ローラで押圧しながら基板上に圧着して貼り付ける異方性導電膜の貼付方法において、
前記異方性導電膜の供給リールを装着し該供給リールから異方性導電膜を引き出して掛け渡すことにより異方性導電膜の供給経路を形成するカートリッジで構成するとともに、
該カートリッジと、該供給リールから供給された異方性導電膜の異方性導電膜層のみを所定間隔をおいてハーフカットした後、前記所定間隔でハーフカットされた異方性導電膜層の不要部分を取り除くハーフカットユニットと、基板に異方性導電膜を圧着して貼り付ける貼付ローラと、貼り付けられた異方性導電膜からセパレータを回収するセパレータ回収ユニットとを圧着ユニットに一体的に設けておき、
加熱テーブル上で加熱した基板に該圧着ユニットの下降により異方性導電膜を貼付ローラで押圧して前記基板を貼付ローラに対して相対的に移動させることで異方性導電膜を基板に貼り付けながらセパレータを連続的にセパレータ回収ユニットに回収し、
異方性導電膜を基板に貼り付けた後、前記貼付ローラを圧着ユニットと一体に上昇させることによりセパレータと貼付ローラが接した状態で該貼付ローラを基板から離間するようにしたことを特徴とする異方性導電膜の貼付方法。
【請求項５】
少なくとも２個のカートリッジを着脱可能なカートリッジ保持部を、前記圧着ユニットと対向させるように回動可能とするとともに、該カートリッジ保持部を圧着ユニットに対して進退動させる進退機構とから構成されるカートリッジ交換装置を設けておき、
前記異方性導電膜の圧着作業中に圧着ユニットの対向面と反対側のカートリッジ保持部に新しい供給リールが装着されたカートリッジを装着し、
圧着ユニットに装着されたカートリッジの異方性導電膜の供給が終了した際、圧着ユニットの貼付ローラをテープ走行ラインから退去させるとともにカートリッジの固定を解除し、
続いてカートリッジが未装着の側のカートリッジ保持部を圧着ユニット側のカートリッジ装着面に当接させて使用済みの供給リールが装着されたカートリッジをカートリッジ交換装置側に移し替え、
その後、カートリッジ交換装置を回動させて、一方のカートリッジ保持部と他方のカートリッジ保持部を入替してから圧着ユニットと新しい供給リールが装着されたカートリッジを接近させ、
カートリッジ保持部に装着されたカートリッジを圧着ユニットに当接させて、圧着ユニットにカートリッジを固定した後、カートリッジ交換装置が退去することにより、カートリッジを交換するようにしたことを特徴とする請求項４記載の異方性導電膜の貼付方法。
【発明の詳細な説明】
【技術分野】
【０００１】
基板に異方性導電膜（ＡＣＦ）を貼り付ける異方性導電膜の貼付装置及び貼付方法に関する。さらに詳しくは、液晶基板や制御基板等の基板に異方性導電膜を個片状に貼り付けるとともに異方性導電膜の自動交換が可能な異方性導電膜の貼付装置及び貼付方法に関する。
【背景技術】
【０００２】
従来から、ロール状の異方性導電膜（ＡＣＦ）のセパレータを残して異方性導電膜層のみを所定長さにハーフカットしておき、個片状になった異方性導電膜層を液晶ガラス基板や制御基板等の電極部に貼り付けることが行なわれている。
【０００３】
前記異方性導電膜層は導電粒子が混合された粘着性のある樹脂層がセパレータ上にテープ状に形成されてＡＣＦを構成しており、液晶ガラス基板等の電極端子に加熱しながら貼り付けた後、前記異方性導電膜層を介して電極端子にＴＡＢ（テープオートメーテッドボンディング）部品等が仮圧着され、その後、２００℃前後で本圧着される。
【０００４】
前記ＡＣＦの貼り付けは、ハーフカットされたＡＣＦを加熱された貼付ローラでセパレータを介して液晶ガラス基板上に押圧し、前記貼付ローラを液晶基板に対して移動させることによりセパレータを分離しながら連続的に貼り付けられるようになっている（例えば特許文献１）。
【０００５】
また、ハーフカットされたＡＣＦを加熱されたガラス基板上に引き出しておき、貼付ローラをセパレータを介して押圧しながら貼り付け方向に水平移動させて、ＡＣＦをガラス基板に圧着した後、セパレータを剥離機構で剥離させることが行なわれている（例えば特許文献２）。
【０００６】
また、貼り付け作業が終了し、使い切った後のＡＣＦ供給リールは、交換作業を行なわなければならないが、このＡＣＦ供給リールを自動交換することが行なわれている（例えば特許文献３）。
【０００７】
上記、ＡＣＦ供給リールの自動交換は、ＡＣＦ供給リールが少なくとも２個装着できるリール装着部材が反転可能に設けられており、ＡＣＦの貼り付け作業が終了すると、ＡＣＦの空リールを手作業で取り外し、反対側のリール装着部に新しいＡＣＦ供給リールを装着してリール装着部材を反転させ、続いてＡＣＦチャック機構が貼り付け経路上を移動しながらＡＣＦを貼り付け経路に掛け渡していくようになっている。  
【０００８】
【特許文献１】特許第３０４５４２７号  図１、図３
【特許文献２】特開２００７−３２４４７１
【特許文献３】特許第３８５２３７８号
【発明の開示】
【発明が解決しようとする課題】
【０００９】
ところで、特許文献１のＡＣＦ貼付装置は、貼付ローラを加熱しながら貼り付けるようになっているため、個片状のＡＣＦを１枚貼り付ける毎に貼付ローラをＡＣＦのセパレータから離間するように上昇させなければならず、特に幅方向に細いＡＣＦ（２ｍｍ程度）の貼り付けにおいては、貼付ローラから離間したＡＣＦが再度貼付ローラと接する際にＡＣＦの走行経路にずれが発生し、貼り付け精度が悪くなる問題がある。
【００１０】
また、上記のようにＡＣＦの貼り付け毎に貼付ローラがＡＣＦのセパレータから離間するため、ＡＣＦの貼り付けテンションが変動したり、貼付ローラのセパレータからの離間時に弛んだセパレータを巻き取り制御したりしなければならず、ＡＣＦの貼り付け張力や貼り付け長さ方向のＡＣＦの供給制御が複雑になる問題がある。さらに張力変動や貼り付け位置のばらつきにより貼り付け精度が悪くなる問題がある。
【００１１】
また、特許文献２のＡＣＦ貼り付け装置は、所定長さの圧着ツールで押圧する代わりに貼付ローラを水平移動させてＡＣＦをガラス基板に圧着するもので、ＡＣＦの圧着後、貼付ローラが退去し、その後、剥しローラが作用してセパレータを剥離するようになっており、セパレータを剥離する時間を要する問題やセパレータの剥離機構を搭載する必要性から装置が大型化する問題がある。
【００１２】
また、個片状のＡＣＦを１枚貼り付ける毎に貼付ローラがセパレータから離間するため、上記特許文献１と同様にＡＣＦの走行経路が安定せず、貼り付け精度が悪くなる問題や、セパレータに張力をかけながら貼り付け後のＡＣＦからセパレータを剥しローラで剥離させるため、貼り付け後のＡＣＦがセパレータに引っ張られて剥がれてしまう問題がある。
【００１３】
また、特許文献３のＡＣＦ貼付装置におけるＡＣＦ供給リールの交換は、ＡＣＦの貼り付け経路を旋回させて反転させるようになっており、ＡＣＦ貼付装置の貼り付け経路を回転させるため貼り付け位置が安定せず、回転精度を高めなければ貼り付け精度が悪くなる問題がある。
【００１４】
さらに、使用済みの空リールの取り外し及び新リールの装着は自動化されておらず、交換作業に時間を要す問題がある。また、新リールを装着後、テープチャックが貼り付け経路上を走行しながら通紙するためテープチャックの移動ルートが複雑になり装置が複雑化するとともに、貼り付け経路上で交換作業が行なわれるため交換作業中は絶えず装置を停止させなければならず、装置の可動停止時間が長くなる問題がある。
【００１５】
そこで、本発明の目的はＡＣＦの貼り付け精度を向上するとともに装置を小型化し、貼り付け時間を短縮するとともに、使用済みのＡＣＦリールを新リールと自動的に交換し、作業時間を短縮できる装置を提供することにある。
【課題を解決するための手段】
【００１６】
そこで、請求項１の発明は、少なくともセパレータと異方性導電膜層の２層からなる異方性導電膜を貼付ローラで押圧しながら基板上に圧着して貼り付ける異方性導電膜の貼付装置において、前記異方性導電膜を供給する異方性導電膜供給手段と、供給される異方性導電膜のセパレータ部分を残して異方性導電膜層のみを所定間隔をおいてハーフカットし、前記所定間隔をおいてハーフカットされた異方性導電膜層の不要部分を剥離させて取り除くハーフカットユニットと、前記基板に異方性導電膜を圧着して貼り付ける貼付ローラと、前記圧着後の異方性導電膜から剥離されたセパレータを連続的に回収するセパレータ回収ユニットとからなる昇降自在な圧着ユニットと、前記基板を載置し、該基板を加熱するとともに前記圧着ユニットの下降により、貼付ローラで異方性導電膜を基板上に押圧しながら該貼付ローラと相対的に水平移動する加熱テーブルとから構成し、前記圧着ユニットの下降により貼付ローラで異方性導電膜層を基板に貼り付けた後、前記貼付ローラを圧着ユニットと一体に上昇させることによりセパレータと貼付ローラが接した状態で該貼付ローラを基板から離間するようにしたことを特徴とする異方性導電膜の貼付装置。
である。
【００１７】
また、請求項２の発明は、請求項１の発明において前記異方性導電膜供給手段を供給リールを回動及び着脱可能に装着するリール装着部と、前記リール装着部から延設された回転軸の一端に設けられた回転枠と、異方性導電膜を掛け渡すことにより異方性導電膜の供給経路を形成するように配置された複数のガイドローラと、前記供給経路の終端部分で前記異方性導電膜の先端部分を固定するテープチャックとからなるカートリッジで構成するとともに、前記圧着ユニットに前記カートリッジの回転枠と着脱可能なチャックを設けて、該カートリッジを交換可能にした異方性導電膜の貼付装置である。
上記のように異方性導電膜（ＡＣＦ）の供給手段をカートリッジ化し、交換可能に設けておけば、カートリッジを入れ替えるだけで容易に異方性導電膜を交換できる。
【００１８】
請求項３の発明は、請求項２の発明において前記異方性導電膜の貼付装置に少なくとも２個のカートリッジを着脱可能に保持するカートリッジ保持部と、前記カートリッジ保持部を前記圧着ユニットと対向させるように回動させる回動機構と、前記カートリッジ保持部を圧着ユニットに対して進退動させる進退機構とから構成されるカートリッジ交換装置を設けた異方性導電膜の貼付装置である。
上記のように、少なくとも２個のカートリッジを着脱可能に保持するカートリッジ保持部の設けられたカートリッジ交換装置を設けておけば、異方性導電膜の貼り付け作業中に新しいカートリッジを一方のカートリッジ保持部に装着しておくことができ、異方性導電膜の使用が終了した際に他方のカートリッジ保持部に使用済みのカートリッジを受け取り、反転させて新しいカートリッジを圧着ユニットに装着できるので、貼り付け作業と並行して貼り付け経路に異方性導電膜を掛け渡しておくことができ、効率良く供給リールの交換が行なえる。
【００１９】
請求項４の発明は、少なくともセパレータと異方性導電膜層の２層からなる異方性導電膜を貼付ローラで押圧しながら基板上に圧着して貼り付ける異方性導電膜の貼付方法において、前記異方性導電膜の供給リールを装着し該供給リールから異方性導電膜を引き出して掛け渡すことにより異方性導電膜の供給経路を形成するカートリッジで構成するとともに、該カートリッジと、該供給リールから供給された異方性導電膜の異方性導電膜層のみを所定間隔をおいてハーフカットした後、前記所定間隔でハーフカットされた異方性導電膜層の不要部分を取り除くハーフカットユニットと、基板に異方性導電膜を圧着して貼り付ける貼付ローラと、貼り付けられた異方性導電膜からセパレータを回収するセパレータ回収ユニットとを圧着ユニットに一体的に設けておき、加熱テーブル上で加熱した基板に該圧着ユニットの下降により異方性導電膜を貼付ローラで押圧して前記基板を貼付ローラに対して相対的に移動させることで異方性導電膜を基板に貼り付けながらセパレータを連続的にセパレータ回収ユニットに回収し、異方性導電膜を基板に貼り付けた後、前記貼付ローラを圧着ユニットと一体に上昇させることによりセパレータと貼付ローラが接した状態で該貼付ローラを基板から離間するようにした異方性導電膜の貼付方法である。
【００２０】
請求項５の発明は、請求項４に記載の発明において、少なくとも２個のカートリッジを着脱可能なカートリッジ保持部を、前記圧着ユニットと対向させるように回動可能とするとともに、該カートリッジ保持部を圧着ユニットに対して進退動させる進退機構とから構成されるカートリッジ交換装置を設けておき、前記異方性導電膜の圧着作業中に圧着ユニットの対向面と反対側のカートリッジ保持部に新しい供給リールが装着されたカートリッジを装着し、圧着ユニットに装着されたカートリッジの異方性導電膜の供給が終了した際、圧着ユニットの貼付ローラをテープ走行ラインから退去させるとともにカートリッジの固定を解除し、続いてカートリッジが未装着の側のカートリッジ保持部を圧着ユニット側のカートリッジ装着面に当接させて使用済みの供給リールが装着されたカートリッジをカートリッジ交換装置側に移し替え、その後、カートリッジ交換装置を回動させて、一方のカートリッジ保持部と他方のカートリッジ保持部を入替してから圧着ユニットと新しい供給リールが装着されたカートリッジを接近させ、カートリッジ保持部に装着されたカートリッジを圧着ユニットに当接させて、圧着ユニットにカートリッジを固定した後、カートリッジ交換装置が退去することにより、カートリッジを交換するようにした異方性導電膜の貼付方法である。
【発明の効果】
【００２１】
基板側を加熱することにより、貼付ローラを加熱せずにＡＣＦを基板に圧着して貼り付けるようにしたので、貼付ローラからＡＣＦが絶えず離間せずに密着した状態を保てるので、ＡＣＦの走行経路が安定し、精度の良い貼り付けが行える。
【００２２】
また、基板へのＡＣＦの貼り付け作業時に貼付ローラとＡＣＦを密着させた状態でＡＣＦの走行経路全体を上下動させて、基板から貼付ローラを離間させるようにしたので、ＡＣＦの貼り付け張力を変動させることが無く、ＡＣＦの貼り付け位置のぶれやばらつきを無くすことができ、ＡＣＦの巻き取り制御を簡略化できる。
【００２３】
さらに、ＡＣＦを貼り付けながら、貼付ローラの貼り付け後端側で連続的に余剰なセパレータを剥離させるようにしているので、貼り付け後に剥しローラ等の剥離ユニットを作用させる必要が無く、貼り付け時間を短縮することができる。
【００２４】
また、異方性導電膜供給手段に供給リールを回動及び着脱可能に装着するリール装着部と、前記リール装着部から延設された回転軸の一端に設けられた回転枠と、異方性導電膜を掛け渡すことにより異方性導電膜の供給経路を形成するように配置された複数のガイドローラと、前記供給経路の終端部分で前記異方性導電膜の先端部分を固定するテープチャックとからなるカートリッジで構成するとともに、前記圧着ユニットに前記カートリッジの回転枠と着脱可能なチャックを設けてカートリッジを交換可能にしたので、ＡＣＦ部分の交換がカートリッジの交換だけで行なえ、さらに走行経路に沿ってＡＣＦが掛け渡されたカートリッジを圧着ユニットに装着するだけでＡＣＦの走行経路への掛け渡しが行なえるので交換作業時間を短縮できる。
【００２５】
さらに、少なくとも２個のカートリッジを着脱可能なカートリッジ保持部と、前記カートリッジ保持部を前記圧着ユニットと対向させるように回動させる回動機構と、前記カートリッジ保持部を圧着ユニットに対して進退動させる進退機構とから構成されるカートリッジ交換装置を設けることにより、ＡＣＦ貼り付け作業中に交換装置のカートリッジ保持部の一方に新しいＡＣＦ供給リールを装着し、貼り付け側のＡＣＦ供給リールが空となった際に、他方のカートリッジ保持部で空のＡＣＦ供給リールを取り外して、カートリッジ保持部を反転させて自動的にＡＣＦを交換できるようにしたので、ＡＣＦを貼り付け経路に通す作業を貼り付け作業と並行して行え、また、自動交換も人手によらずに行なえるので交換作業時間を大幅に短縮できる。
【００２６】
また、ＡＣＦの交換時に、精度を必要とする貼り付け経路を回転させる必要がないので、装置の調整が容易で、貼り付け精度も安定化でき、さらに、貼り付け経路上をテープチャックが移動することによってＡＣＦを掛け渡すことがなく、制御が複雑化することもない。
【発明を実施するための最良の形態】
【００２７】
以下に本発明の一実施形態について図１乃至図１４に基づいて説明する。
【００２８】
図１は本発明のＡＣＦ貼付装置の平面図であり、図２は図１のＡ−Ａ方向から見た正面図である。
【００２９】
図１のように機台２上には、左中央に基板１０を載置加熱する加熱テーブル４２と、中央後方にはＡＣＦ９を基板１０に圧着して貼り付ける圧着ユニット４と前記圧着ユニット４と対向してＡＣＦ交換装置４９が設けられている。
【００３０】
図１及び図２のように加熱テーブル４２の下方には、レール４４が敷設され、レール４４と摺動可能に嵌合してスライダ４５が設けられ、このスライダ４５上に支持枠を介して加熱テーブル４２が設けられることにより、図示しない適宜な駆動源により、加熱テーブル４２が機台左端から圧着ユニット４に対向する位置まで水平動自在になっている。
【００３１】
また、加熱テーブル４２には、その上面に載置された基板１０を吸着固定する図示しない適宜な固定機構と、載置された基板１０を加熱するヒータ４３が設けられている。
【００３２】
なお、上記基板１０は例えば図１４に示すような液晶ガラス基板に搭載される制御基板であり、片側には液晶ガラス基板にＴＡＢ部品等を介して接続される電極部８２が設けられており、この電極部８２に接続用の異方性導電膜層７４が貼り付けられるようになっている。
【００３３】
また、基板１０には、電極部８２とＴＡＢ部品を接続する際や異方性導電膜層７４を貼り付ける際に位置決めを行なうアライメントマーク８３及び液晶パネルを組込む際に固定を行なう固定穴８４が設けられている。
【００３４】
前記圧着ユニット４は、機台２上に垂直に立設された支持板７１と、前記支持板７１の後方に立設された２本の支柱３、３の前面に設けられたレール６、６と摺動可能に嵌合する２個のスライダ７、７とにより、昇降シリンダ５を駆動させることで支持板８を通じて上下動自在になっている。
【００３５】
前記圧着ユニット４の支持板７１の前面には、ＡＣＦ供給リール３９と、ガイドローラ２０、ガイドローラ群３８、テープチャック２１が設けられたＡＣＦ供給手段としてのカートリッジ１１が装着されている（カートリッジ１１の詳細については後述する。）。
【００３６】
また、圧着ユニット４の上方には、ＡＣＦ供給リール３９から引き出されたＡＣＦ９に適正な張力を付与するテンションアーム４０が軸を中心に回動可能に設けられ、その先端にはダンサローラ２５が設けられている。
【００３７】
また、圧着ユニット４の左中段には、ハーフカットユニット２７が設けられ、支持板７１の前面に設けられたレール２８とハーフカットユニット２７の後方に設けられたスライダ３１が摺動可能に嵌合し、ハーフカットユニット２７は、ハーフカットユニット２７の後方に向かって延設された支持板３０がシリンダ２９と接続されることによりシリンダ２９の作用で上下動するようになっており、上記ハーフカットユニット２７の上下動により、基板１０に貼り付けるＡＣＦ９の長さを調節可能にしている。
【００３８】
前記ハーフカットユニット２７には、粘着テープ３５の供給リール３６と所定の間隔を開けた２枚のカッタ刃３３、３３と、両カッタ刃３３、３３の間で粘着テープ３５をその背面側からＡＣＦ９の異方性導電膜層７４に向けて押圧する押圧部材３４が設けられており、両カッタ刃３３、３３と押圧部材３４は、図示しない適宜な駆動手段によりＡＣＦ９の異方性導電膜層７４に向けて水平動するようになっている。
【００３９】
また、前記押圧部材３４とＡＣＦ９を挟んで対向するようにカッタ台３２が設けられ、該カッタ台３２はハーフカットユニット２７の上下動により、ハーフカットユニット２７と一体に上下動するようになっており、前記カッタ刃３３、３３がカッタ台３２に向け所定量水平動することでＡＣＦ９のセパレータ７５を残して異方性導電膜層７４のみを所定間隔をおいてハーフカットするようになっている。
【００４０】
所定間隔でハーフカットが行なわれたＡＣＦ９は、切断された間の部分に上記押圧部材３４で粘着テープ３５が押圧されて、粘着テープ３５に異方性導電膜層７４の不要部分が接着され、ＡＣＦ９に中抜き部分が形成されるようになっており、不要な異方性導電膜層７４は前記粘着テープ３５に接着され、回収リール３７に巻き取られるようになっている。
【００４１】
また、圧着ユニット４の中央下方には、前記カートリッジ１１に設けられたガイドローラ２０及びガイドローラ群３８に掛け渡されて走行経路を形成したＡＣＦ９を基板１０に圧着して貼り付ける貼付ローラ２３が設けられ、該貼付ローラ２３はシリンダ２４の作用で、貼付ローラ２３の両側に設けられたガイドローラ４１、４１とともに上下動自在になっている。
【００４２】
また、圧着ユニット４の中央部付近には装着されるカートリッジ１１に設けられた切欠き穴１８内に進入する固定ピン２６が設けられており、シリンダ６８により該固定ピン２６は旋回しながら支持板７１に向かって下降してカートリッジ１１を支持板７１に固定するようになっている。
【００４３】
また、支持板７１には、図３のようにカートリッジ１１の固定穴７６、７７に対応する位置に支持ピン１４、１５が突出するように設けられ、カートリッジ１１が装着された際に支持ピン１４、１５が固定穴７６、７７に位置決め固定されるようになっている。
【００４４】
また、支持板７１のカートリッジ１１の下方には図示しない適宜の機構で駆動されるピンチローラ７３が設けられ、不要となったセパレータ７５を巻き取るようになっており、さらに該ピンチローラ７３は図示しない適宜な機構で開放可能になっている。
【００４５】
また、支持板７１の右下方にはセパレータ７５を吸い取って廃棄するセパレータ回収ユニット７８が設けられている。
【００４６】
以上が圧着ユニット４の構成であり、次に圧着ユニット４のＡＣＦ供給手段であるカートリッジ１１について以下に図３、図４、図７に基づいて説明する。
【００４７】
図３及び図４のようにカートリッジ１１は、切欠き穴１８の設けられた支持板７９に後述するＡＣＦ交換装置４９と受け渡しを行なうための支持穴１６、１７が設けられ、両支持穴１６、１７の上部には、圧着ユニット４の支持板７１に設けられた支持ピン１４、１５と対応する位置に固定穴７６、７７が設けられ、カートリッジ１１を圧着ユニット４に装着した際に支持ピン１４、１５と固定穴７６、７７が嵌合して位置決めされるようになっている。
【００４８】
また、カートリッジ１１の支持穴１６、１７にはボールプランジャ等適宜な保持手段で一定の保持力を持って、ＡＣＦ交換装置４９側の支持ピン５０、５１及び支持ピン５６、５７と嵌合するようになっており、カートリッジ保持部５８、５９とカートリッジ１１を着脱可能にしている。
【００４９】
なお、本実施形態においてはＡＣＦ交換装置４９の支持ピン５０、５１及び支持ピン５６、５７がカートリッジ１１の支持穴１６、１７に嵌合することでカートリッジ１１をカートリッジ保持部５８、５９に保持するようにしたが、適宜な保持力でカートリッジを保持し、着脱可能にする手段であれば適宜変更できる。
【００５０】
また、支持板７９の右上方の表面側にはＡＣＦ供給リール３９を装着するリール装着部８０が設けられ、該リール装着部８０は図４のように支持板７９に対して回動可能な軸８１とその一端に設けられた固定ナット２２により構成され、ＡＣＦ供給リール３９を固定ナット２２で固定するようになっており、軸８１の他端側は支持板７９を介して円筒状の回転枠６２が取り付けられている。
【００５１】
また、図３のように支持板７９の左上方は斜め上方に向かってアームが延設されており、先端部にガイドローラ２０が設けられている。
【００５２】
また、支持板７９の下方にはガイドローラ３８が複数設けられ、ＡＣＦ供給リール３９から引き出されたＡＣＦ９をガイドローラ２０、複数のガイドローラ３８に掛け渡すことでＡＣＦ９の供給経路を形成するようになっている。
【００５３】
上記掛け渡されたＡＣＦ９は、支持板７９の右下方に設けられたテープチャック２１に保持され固定されるようになっている。なお、このテープチャック２１は図示しない適宜な機構により、圧着ユニット４に装着された際に自動的に開放するようにしておけば良い。
【００５４】
以上が、ＡＣＦ貼付装置１におけるＡＣＦ供給手段に相当するカートリッジ１１の構成であり、次にＡＣＦ交換装置４９について以下に図１及び図５乃至図７に基づいて説明する。
【００５５】
図１のように機台２の右端には圧着ユニット４と垂直前方に向かってボールネジ４７が機台２上に立設された支持枠７２上に延設され、前記ボールネジ４７にはモータ４６が接続されている。
【００５６】
前記ボールネジ４７には、ナット部材４８が設けられ、該ナット部材４８にはＡＣＦ交換装置４９が取り付けられて、モータ４６の駆動により圧着ユニット４の前面に向かって進退動自在となっている。
【００５７】
前記ＡＣＦ交換装置４９は、前記ナット部材４８から延設された支持板１２上に立設した支持枠上に支持板１３を設け、該支持板１３の下方にけたモータ６０の軸に支持板７２を設けることにより、支持板１２に対して回動可能に設けられている。
【００５８】
また、前記支持板７２上にはカートリッジ保持部５８、５９が間隔を開けて立設され、両カートリッジ保持部５８、５９の垂直方向外側に向けて支持ピン５６、５７及び支持ピン５０、５１が設けられている。
【００５９】
前記カートリッジ保持部５８側には新しいカートリッジ１１が装着されるようになっており、カートリッジ１１の装着時に図７のようにカートリッジ１１側に設けられた支持穴１６、１７と前記支持ピン５６、５７がそれぞれ嵌合してカートリッジ保持部５８にカートリッジ１１が一定の保持力で保持されるようになっている。なお、一定の保持力とは、カートリッジ１１を装着した際に脱落しない程度で且つカートリッジ１１を受け渡しする際に着脱可能な程度の力をいう。
【００６０】
また、前記カートリッジ保持部５９は使用済みとなったカートリッジ１１を圧着ユニット４から取り外して受け取るようになっており、この時、図７の二点鎖線のように支持ピン５０、５１がカートリッジ１１の支持穴１６、１７に挿入されカートリッジ保持部５９にカートリッジ１１が一定の保持力で保持されるようになっている。
【００６１】
また、前記支持板７２の下方のモータ６０を駆動させることにより、支持板７２が回転し、カートリッジ保持部５８、５９が反転して、相互に位置を入替することができるようになっており、圧着ユニット４と対向するカートリッジ保持部５９の下方には、使用済みとなったカートリッジ１１のセパレータ７５を切断するカッタ刃６１が設けられている。
【００６２】
前記カッタ刃６１は、支持板５９の斜め下方に向けて延設したブラケット６９にシリンダ７０を設け、その先端に取り付けられており、カッタ刃６１をシリンダ７０により上下動させてカッタ台でセパレータ７５を挟み込むことによりセパレータ７５を切断するようになっている。
【００６３】
次にカートリッジ１１側の回転枠６２と圧着ユニット４側のモータ６４の回転軸６５との締結について、図８（ａ）乃至（ｃ）に基づいて説明する。
【００６４】
図８（ａ）のように圧着ユニット４側のモータ６４の回転軸６５の先端には、シリンダ６３が接続されており、該シリンダ６３はその先端に突出して設けられた回転可能な回転枠６６と該回転枠６６の先端に設けられたチャック６７とからなり、シリンダ６３の作用でチャック６７は回転枠６６の直径方向に開閉が可能になっている。
【００６５】
また、カートリッジ１１側の回転枠６２は支持板７９に回動可能に軸支されており、該回転枠６２は円筒状に形成されることによって、図８（ｂ）及び図８（ｃ）のように圧着ユニット４側のチャック６７が内包されてチャック６７の開閉により回転枠６２と回転軸６５の締結が自在となっている。
【００６６】
上記のように回転枠６２と回転軸６５が締結されることにより、ＡＣＦ供給リール３９は圧着ユニット４のモータ６４によって駆動回転が与えられるようになっている。
【００６７】
以上が、本発明の実施形態の構成であり、続いて以下にＡＣＦの貼り付け動作を図９（ａ）乃至図１０（ｅ）に基づいて説明する。なお、理解が容易なように異方性導電膜層７４、セパレータ７５、粘着テープ３５の厚みは実際よりも誇張して描いてある。
【００６８】
図９（ａ）のように基板１０が加熱テーブル４２上に載置され、図示しない吸着機構で吸着保持されて圧着ユニット４の下方にヒータ４３で加熱されながら搬送され、圧着ユニット４においてはＡＣＦ供給リール３９からＡＣＦ９が異方性導電膜層７４を外側にして供給され、カッタ刃３３、３３及び押圧部材３４が図示しない適宜な駆動源で矢印の方向に所定量水平動し、セパレータ７５を残して異方性導電膜層７４のみを所定の間隔で切断するとともに押圧部材３４で粘着テープ３５を異方性導電膜層７４に押圧する。
【００６９】
なお、このＡＣＦ９の供給は、異方性導電膜層７４の先端が貼付ローラ２３の下方に達した際に、図示しない適宜の光学センサ等で検出するようになっており、異方性導電膜層７４の先端が貼付ローラ２３の下方に達した際にＡＣＦ９の供給が停止される。
【００７０】
図９（ｂ）のようにまず、カッタ刃３３、３３及び押圧部材３４を後退させながら、粘着テープ３５を巻き取ることで所定間隔でハーフカットされた異方性導電膜層７４を粘着テープ３５に巻き取って異方性導電膜層７４を所定の長さに切断し、ＡＣＦ９に中抜き部分を形成する。続いて、圧着ユニット４を昇降シリンダ５を作用させて下降させ、貼付ローラ２３を基板１０上に圧着させる。
【００７１】
図９（ｃ）のようにＡＣＦ供給リール３９からＡＣＦ９をモータ６４を駆動して供給するとともに、貼付ローラ２３でＡＣＦ９を基板１０に圧着させながら、加熱テーブル４２を矢印方向に水平動させることで、異方性導電膜層７４を基板１０に貼り付けていく。
【００７２】
この時、異方性導電膜層７４の貼り付けとともに貼付ローラ２３部分でセパレータ７５が連続的に分離され、不要部分のセパレータ７５はピンチローラ７３を駆動させて巻き取り、セパレータ回収ユニット７８に吸い込んで廃棄される。
【００７３】
続いて図１０（ｄ）のように、圧着ユニット４が昇降シリンダ５の作用で上昇することで貼付ローラ２３がＡＣＦ供給手段であるカートリッジ１１とともに上昇し、貼付ローラ２３にＡＣＦ９が密着した状態で基板１０から貼付ローラ２３が離間する。このように、貼付ローラ２３と密着した状態で基板１０から貼付ローラ２３が離間するのでＡＣＦ９の走行経路が横ブレすることが無く、安定に精度良くＡＣＦ９を供給することができ、また、張力の変動も少なく、長さ方向のＡＣＦ９の供給制御も簡素に行なうことができる。
【００７４】
図１０（ｅ）のように加熱テーブル４２が基板１０をヒータ４３で加熱しながら次の貼り付け位置まで移動し、ＡＣＦ９の次に貼り付ける異方性導電膜層７４が貼付ローラ２３の下方に位置するまで図示しないセンサで検出しながら供給される。以上の動作を繰り返すことで図１４のように異方性導電膜層７４を基板１０の端子上に個片状に連続的に貼り付けることができる。
【００７５】
なお、ハーフカットユニット２７を作用させる位置を調節すれば従来のように長尺状に異方性導電膜層７４を基板１０に貼り付けることも可能である。
【００７６】
次に、使用済みとなったカートリッジ１１を自動的に着脱する方法について図１１乃至図１３に基づいて説明する。
【００７７】
図１１（ａ）のようにカートリッジ１１が使用済みとなると図示しない適宜なセンサで使用済みであることを検出してＡＣＦ貼付装置１を停止させ、まず、後述するＡＣＦ交換装置４９を圧着ユニット４に向けて前進させ、ピンチローラ７３左側の一点鎖線位置にカッタ刃６１を作用させてセパレータ７５を切断する。続いて、テンションアーム４０を図中二点鎖線位置から実線位置へ下降させるとともに、貼付ローラ２３及びガイドローラ４１を一体にシリンダ２４で上昇させて退避させる。
【００７８】
図１１（ｂ）のようにまず、テープチャック２１及びピンチローラ７３を開放することで不用部分のセパレータ７５はセパレータ回収ユニット７８に吸い込まれて廃棄され、カートリッジ１１側のセパレータ７５の後端は垂れ下がった状態となり、続いて、カートリッジ１１を固定している固定ピン２６がシリンダ６８の作用でカートリッジ１１の支持板７９から離間しながら旋回して固定を解除する。
【００７９】
次に、図１２（ａ）のように空のカートリッジ保持部５９が圧着ユニット４に対向するようにしておき、モータ４６を駆動させてＡＣＦ交換装置４９を圧着ユニット４に向けて前進させることで、カートリッジ保持部５９の支持ピン５０、５１がカートリッジ１１の支持穴１６、１７に貫入し、支持ピン５０、５１にカートリッジ１１が保持される。
【００８０】
この時、図８（ａ）のようにチャック６７がシリンダ６３の作用で回転枠６６に対して内側に移動し、カートリッジ１１の回転枠６２との締結が開放され、このことにより、カートリッジ保持部５９にカートリッジ１１が受け渡される。
【００８１】
図１２（ｂ）のようにＡＣＦ交換装置４９が後退することでカートリッジ保持部５９に空となったカートリッジ１１が移し取られる。
【００８２】
続いて、図１３（ｃ）のようにモータ６０が作用してカートリッジ保持部５９と新しいカートリッジ１１が保持されたカートリッジ保持部５８を１８０°回転させ、カートリッジ保持部５９とカートリッジ保持部５８の位置を入れ替えてカートリッジ保持部５８を圧着ユニット４に対向させる。
【００８３】
続いて図１３（ｄ）のようにＡＣＦ交換装置４９を圧着ユニット４に向けて前進させることで、新しいカートリッジ１１の固定穴７６、７７と圧着ユニット４の支持板７１に設けられた支持ピン１４、１５とが貫入するとともにシリンダ６８の作用で固定ピン２６が回転しながら圧着ユニット４に対して下降することによりカートリッジ１１が圧着ユニット４に固定される。
【００８４】
この時、シリンダ６３を作用させて、チャック６７を外側に開放し、回転枠６２をチャックして固定することで、ＡＣＦ供給リール３９とモータ６４を締結し、モータ６４でＡＣＦ供給リール３９の駆動を行なえるようにする。
【００８５】
また、セパレータ回収ユニット７８の吸引を作用させることでカートリッジ１１のＡＣＦ９の先端部分がセパレータ回収ユニット７８内に吸い込まれ、テープチャック２１を開放することで自動的にＡＣＦ９の走行経路を形成するようになっており、この後、ＡＣＦ交換装置４９が後退し、シリンダ２４を作用させて、貼付ローラ２３及びガイドローラ４１を下降させて、ＡＣＦ９の貼り付け経路が形成される。
【００８６】
以上が、本発明の実施形態であるが、本発明の範囲内で適宜な変更を行なうことができる。
【図面の簡単な説明】
【００８７】
【図１】本発明のＡＣＦ貼付装置の平面図である。
【図２】図１のＡ−Ａ方向の矢視正面図である。
【図３】本発明のＡＣＦ貼付装置のＡＣＦ供給手段であるカートリッジの正面図である。
【図４】本発明のＡＣＦ貼付装置のＡＣＦ供給手段であるカートリッジの一部切欠いた平面図である。
【図５】ＡＣＦ交換装置部分の正面図である。
【図６】ＡＣＦ交換装置部分の背面図である。
【図７】ＡＣＦ交換装置のカートリッジ交換動作を表す右側側面方向から見た説明図である。
【図８】（ａ）乃至（ｃ）はＡＣＦ交換装置でのＡＣＦ供給リールの着脱動作を表す説明図である。
【図９】（ａ）乃至（ｃ）はＡＣＦ貼付装置でのＡＣＦ貼り付け動作を表す説明図である。
【図１０】（ｄ）乃至（ｅ）はＡＣＦ貼付装置でのＡＣＦ貼り付け動作を表す説明図である。
【図１１】（ａ）乃至（ｂ）は本発明のＡＣＦ貼付装置でのカートリッジ着脱動作を表す説明図である。
【図１２】（ａ）乃至（ｂ）はＡＣＦ貼付装置でのカートリッジ交換動作を表す説明図である。
【図１３】（ｃ）乃至（ｄ）はＡＣＦ貼付装置でのカートリッジ交換動作を表す説明図である。
【図１４】ＡＣＦが貼り付けられた基板の平面図である。
【符号の説明】
【００８８】
１    ＡＣＦ（異方性導電膜）貼付装置
２    機台
３    支柱
４    圧着ユニット
５    昇降シリンダ
６    レール
７    スライダ
８    支持板
９    ＡＣＦ
１０    基板
１１    カートリッジ（ＡＣＦ供給手段）
１２    支持板
１３    支持板
１４    支持ピン
１５    支持ピン
１６    支持穴
１７    支持穴
１８    切欠き穴
２０    ガイドローラ
２１    テープチャック
２２    固定ナット
２３    貼付ローラ
２４    シリンダ
２５    ダンサローラ
２６    固定ピン
２７    ハーフカットユニット
２８    レール
２９    昇降シリンダ
３０    支持板
３１    スライダ
３２    カッタ台
３３    カッタ刃
３４    押圧部材
３５    粘着テープ
３６    供給リール
３７    回収リール
３８    ガイドローラ
３９    ＡＣＦ供給リール
４０    テンションアーム
４１    ガイドローラ
４２    加熱テーブル
４３    ヒータ
４４    レール
４５    スライダ
４６    モータ
４７    ボールネジ
４８    ナット部材
４９    ＡＣＦ交換装置
５０    支持ピン
５１    支持ピン
５６    支持ピン
５７    支持ピン
５８    カートリッジ保持部
５９    カートリッジ保持部
６０    モータ
６１    カッタ刃
６２    回転枠
６３    シリンダ
６４    モータ
６５    回転軸
６６    回転枠
６７    チャック
６８    シリンダ
６９    ブラケット
７０    シリンダ
７１    支持板
７２    支持板
７３    ピンチローラ
７４    異方性導電膜層
７５    セパレータ
７６    固定穴
７７    固定穴
７８    セパレータ回収ユニット
７９    支持板
８０    リール装着部
８１    軸
８２    電極部
８３    アライメントマーク
８４    固定穴
【図１】
2010045070.tif 000003
【図２】
2010045070.tif 000004
【図３】
2010045070.tif 000005
【図４】
2010045070.tif 000006
【図５】
2010045070.tif 000007
【図６】
2010045070.tif 000008
【図７】
2010045070.tif 000009
【図８】
2010045070.tif 000010
【図９】
2010045070.tif 000011
【図１０】
2010045070.tif 000012
【図１１】
2010045070.tif 000013
【図１２】
2010045070.tif 000014
【図１３】
2010045070.tif 000015
【図１４】
2010045070.tif 000016